(57)【要約】【課題】本発明は建築、構築物の外装を形成する外装材に関するものである。【解決手段】金属製表面材１と裏面材２間に芯材３を形成し、金属製表面材１の上下端部に雄雌連結構造を形成した長尺状の外装材Ａにおいて、金属製表面材１の化粧面６全面には複数個の屋外側に突出した垂直平面状の頂面６ａを形成したブロックＢを形成すると共に、ブロックＢの頂面６ａの上角部に上傾斜平面６ｂ、および／または下角部に下傾斜平面６ｃを形成してＬ形の頂面６Ａを形成し、頂面６ａには彩色を施し、化粧面６に点描色を彩色し、点描色が上傾斜平面６ｂは頂面６ａより淡い色、下傾斜平面６ｃは頂面６ａより濃い色の関係の濃淡を形成した外装材Ａである。【選択図】図１
2015007323.tif 000002
【特許請求の範囲】
【請求項１】
金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成すると共に、該ブロックＢの頂面の上角部に上傾斜平面、および／または下角部に下傾斜平面を形成してＬ形の頂面を形成し、頂面には彩色を施したことを特徴とする外装材。
【請求項２】
化粧面に点描色の彩色を形成したことを特徴とする請求項１記載の外装材。
【請求項３】
点描色が、上傾斜平面は頂面より淡い色、下傾斜平面は頂面より濃い色の関係の濃淡を形成したことを特徴とする請求項１、２記載の外装材。
【発明の詳細な説明】
【技術分野】
【０００１】
本発明は建築、構築物の外装を形成する外装材に関するものである。
【背景技術】
【０００２】
一般に、金属製板材をロール成形、プレス成形等して加工し、化粧面に凹凸を形成した外装材は数多く上市されている。（例えば、特許文献１〜４参照）。
【先行技術文献】
【特許文献】
【０００３】
【特許文献１】特開平１１−２４０２９４号公報
【特許文献２】特開２０００−１２０２５１号公報
【特許文献３】特開２００２−２３５４２３号公報
【特許文献４】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。特許文献２は「エンボス加工された装飾板」に係り、ブロックにお互い角度を持って交差する２種類の斜線を基本とする平衡溝模様が刻設することにより、光の反射の影響により見た方向によって色調等が異なる効果が発揮させるものである。また、特許文献３は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献４は「エンボス加工金属製外壁材」に係り、斜平面の位置が互いに異なる区画面を、それぞれ交互に長手方向に隣接する装飾面を形成したものである。
【０００５】
しかしながら、特許文献１〜４共に、金属製板材の化粧面にエンボスを施して意匠性、加工性等を向上する思想は存在するものの、単調な外観が繰り返され、画一化された光りの反射を利用しただけのもので有り、今までに無いような頂面の膨出化による立体感の強化を図ったものは無かった。また、特許文献１〜４には、本願発明の「L形の頂面」は存在せず、さらに、特許文献４は区画面に形成された斜平面の位置が、長手方向に沿って上、下、上、下、・・・のように斜平面交互に繰り替えされた単調な模様でしかなかった。
【課題を解決するための手段】
【０００６】
本発明はこのような欠点を解決するために、金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成すると共に、ブロックの頂面の上角部に上傾斜平面、および／または下角部に下傾斜平面を形成してＬ形の頂面を形成し、頂面には彩色を施し、化粧面に点描色を彩色し、点描色が上傾斜平面は頂面より淡い色、下傾斜平面は頂面より濃い色の関係の濃淡を形成した外装材を提供するものである。
【発明の効果】
【０００７】
本発明に係る外装材によれば、ブロックの頂面にＬ形の頂面を形成すると共に、化粧面に形成した点描色が上傾斜平面は頂面より淡い色、下傾斜平面は頂面より濃い色の関係の濃淡を形成することにより、（１）立体感を演出し、単体の材料で多色の意匠の様に見せることが出来る。（２）Ｌ形の頂面を各ブロックに形成することにより、ブロックの形状がＬ形（鍵形）の形を持ち、凡庸な柄の中に躍動感のある壁体を形成する。（３）化粧面に形成した点描色が上傾斜平面は頂面より淡い色、下傾斜平面は頂面より濃い色の関係の濃淡を形成したために、太陽光による光りの陰と、傾斜による光の乱反射による影響と、色彩による濃淡の相乗効果により、今までにないシャープ感がありながらやさしい淡いイメージ感を醸し出した外装材となる。等の特徴、効果がある。
【図面の簡単な説明】
【０００８】
【図１】本発明に係る外装材の代表例を示す断面図である。
【図２】本発明に係る外装材の代表例を示す部分拡大断面図である。
【図３】本発明に係る外装材の施工状態を示す断面図である。
【図４】本発明に係る外装材の化粧面を示す正面図である。
【図５】本発明に係る外装材の化粧面のブロックの実施例を示す平面図である。
【図６】本発明に係る外装材の化粧面のブロックの実施例を示す平面図である。
【図７】本発明に係る外装材の化粧面のブロックの実施例を示す平面図である。
【発明を実施するための形態】
【実施例】
【０００９】
以下に図面を用いて、本発明に係る外装材の一実施例について詳細に説明する。すなわち、外装材Ａは図１、図２（ａ）、（ｂ）に示すように、金属製表面材１と裏面材２で例えば合成樹脂発泡体からなる芯材３を、サンドイッチした外装材Ａである。また、図３は施工状態を示す断面図である。
【００１０】
外装材Ａの全体形状の一例としては図１、図２（ａ）、（ｂ）に示すように、長尺で金属製の薄板からなる金属製表面材１と裏面材２間に芯材３をサンドイッチし、幅方向の一端に形成した雄型連結部４、他端に形成した雌型連結部５とから形成し、化粧面６の下端には側壁７、上端には側壁８を形成したものである。
【００１１】
さらに詳説すると、雄型連結部４は化粧面６下端を裏面側に屈曲した側壁７と、側壁７の先端を上方へ突出した上面９と、上面９の先端を下方に屈曲した係合片１０と、上面９と係合片１０とからなる係合溝１１とから形成したものである。
【００１２】
雌型連結部５は化粧面６の上端を裏面側に屈曲した側壁８と、側壁８の先端を上方に屈曲した目地底面１２と、目地底面１２の先端を折り返し下方に突出した下面１３と、目地底面１２と下面１３とからなる嵌合片１４と、下面１３の先端を上方に屈曲して突出した固定面１５と、下面１３と固定面１５とから形成した嵌合溝１６とから形成したものである。なお、Ｐは防水性強化のために形成したパッキンである。
【００１３】
化粧面６には図１、図４（ａ）に示すように複数本の縦目地Ｔと横目地Ｙを形成し、複数段、複数列の大きさの異なるブロックＢを形成するものである。
【００１４】
このブロックＢには図１、図４（ａ）に示すように、垂直平面状の頂面６ａ、頂面６ａより上方で屋内側に傾斜した上傾斜平面６ｂと、頂面６ａよりなる下方で屋内側に傾斜した下傾斜平面６ｃよりなる傾斜平面Ｋを形成するものであり、図４（ａ）に示すようにブロックＢの頂面６ａにＬ字状に形成したＬ形の頂面６Ａを形成することにより、図１に示すように段差Ｄを形成したものである。
【００１５】
また、ブロックＢは図５（ａ）〜（ｅ）〜図７（ａ）、（ｂ）に示すように形成するものであり、図面上頂面６ａは斜め斜線、上傾斜平面６ｂは塗りつぶし無し、下傾斜平面６ｃは塗りつぶしにて表現する。なお、図４（ａ）において６ＴはブロックＢの幅方向の短辺、６ＹはブロックＢの長手方向の長辺である。
【００１６】
（１）ブロックＢの上角部に上傾斜平面６ｂを形成した場合、その部分では光の上方向への反射により、上傾斜平面６ｂの面が鏡面状態となり、そのブロックＢの上部の横目地Ｙの溝が強調され、頂面６ａが浮き出して立体感が増幅された壁体となると共に、ブロックＢの頂面６ａがL形の頂面６Ａの鍵型に形成され、上傾斜平面６ｂとの境界部分の段差Ｄの存在により、上傾斜平面６ｂが大きく窪んで、L形の頂面６Ａがさらに浮き出した、高低差が大きく立体感のある壁体となる。図５（ａ）〜（ｃ）、図６（ｂ）〜（ｅ）、図７（ａ）、（ｂ）参照。
【００１７】
（２）ブロックＢの下角部に下傾斜平面６ｃを形成した場合、その部分では光の下方向への反射により、上傾斜平面６ｂの面が影になった状態となり、上部の頂面６ａを膨出させて立体感を強化し、そのブロックＢの下部の横目地Ｙの溝部分では溝部分が窪んだ、立体感のある壁体となると共に、ブロックＢの頂面６ａが鍵型に形成され、複雑で立体感のある壁体となる。図５（ｃ）（ｄ）、図６（ａ）〜（ｅ）、図７（ａ）、（ｂ）参照。
【００１８】
（３）ブロックＢの角部分の対角線上に上傾斜平面６ｂ、下傾斜平面６ｃを形成した場合、その部分ではブロックＢのエンボス加工の加工量の偏りを防止出来る。図７（ａ）参照。
【００１９】
（４）上下のブロックＢの下傾斜平面６ｃと上傾斜平面６ｂとが対向して形成された場合、横目地Ｙがさらに明確化し、これにより頂面６ａがさらに浮き出て見え、今までにない立体感を醸し出す壁体となる。図７（ｂ）参照。
【００２０】
（５）光の反射による立体感を助長するためにベースコイルを光沢有りのものとした場合、ベースの色を光沢有りとし、トップの色を種々変化させることにより明度をベース色（暗い）＜トップ色（明るい）の組み合わせで表現することが出来、コントラストに強弱が有り、頂面６ａの浮き出た立体感と多色感を助長した壁体となる。
【００２１】
（６）最上段のブロックＢの列を、図１〜図４（ａ）に示すようにブロックＢの下部にのみ下傾斜平面６ｃを形成することによりダミーブロック列Ｒ１を形成し、図３に示すように外装材Ａを施工した場合に、連結目地γ部分の上段の外装材Ａと下段の外装材Ａの連結部分の隙間が外部から見えなくなり、複数の外装材Ａからなる壁体ではない、自然な一枚板の壁体を形成出来る。
【００２２】
（７）最上段のブロックＢの列を、図１〜図４（ａ）に示すようにブロックＢの下部にのみ下傾斜平面６ｃを形成することによりダミーブロック列Ｒ１を形成し、図３に示すように外装材Ａを施工した場合に、一定間隔でこのダミーブロック列Ｒ１の模様が形成されるために、同じようにブロックＢの下部にのみ下傾斜平面６ｃを形成したダミーブロック列Ｒ１のダミー模様を図４（ａ）に示すように形成することにより、さらに自然な壁体を形成出来る。なお、連結目地γ、横目地Ｙの形状としては図に示すようなＶ字状目地、糸目地等の間隔が狭い溝を形成するものである。
【００２３】
（８）さらに、ダミーブロック列Ｒ１のブロックＢの下部にのみ下傾斜平面６ｃを形成した模様が一定間隔で存在する違和感を解決するために、その逆の模様であるブロックＢの上部にのみ上傾斜平面６ｂを形成したダミーブロック列Ｒ２のダミー模様を図４（ａ）に示すように形成すると、さらに自然な壁体を形成出来る。
【００２４】
勿論、（１）〜（８）のブロックＢを組み合わせて形成することも出来るものである。なお、各ブロックの高さは図では同じ幅で形成しているが、異なる幅にて形成することも出来るものである。
【００２５】
このようにして形成された、図１〜図４（ａ）に示すように形成された化粧面６の頂面６ａには、前記（５）に記載したように、金属製表面材１の原板色調と異なる塗装Ｓを図５（ａ）に示すように形成するものである。この塗装Ｓの形成により、コントラストに強弱が有り、頂面６ａの浮き出た立体感と多色感を助長した壁体となるものである。
【００２６】
さらに、ブロックＢの頂面６ａ部分にはエンボス模様を形成することにより、より頂面６ａの膨出化を助長するものである。
【００２７】
この図４（ａ）の化粧面６に対し、図４（ｂ）に示すように顔料系インクを微滴化して直接吹き付け印刷するインクジェットプリンターにて塗装するものである。
【００２８】
その塗装方法としては、＜１＞化粧面前面に点描色Ｕを採用し、違和感のないようにするものである。
【００２９】
＜２＞上傾斜平面は頂面より淡い色、下傾斜平面は頂面より濃い色の関係の濃淡を形成することにより、立体感をさらに強化しながら点描色Ｕによる淡い意匠感を醸し出し、柔らかい壁面となるものである。
【００３０】
＜３＞また、頂面６ａに形成したエンボス模様に合わせた点描色Ｕを採用することにより違和感のない壁面を形成出来るものである。
【００３１】
図３において、αは躯体、βは固定具、γは連結部である。
【００３２】
金属製表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００３３】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００３４】
外装材Ａ同士は、係合片１０が嵌合溝１６へ、係合溝１１には嵌合片１４が連結されることにより、図３に示すように連結されるものである。
【００３５】
以上説明したのは本発明に係る外装材の一実施例にすぎず、図９（ａ）〜（ｅ）〜図１３に示すように外装材Ａを形成することも出来る。
【符号の説明】
【００３６】
α  躯体
β  固定具
γ  連結目地
Ａ  外装材
Ｂ  ブロック
Ｄ  段差
Ｋ  傾斜平面
Ｐ  パッキン
Ｒ１  ダミーブロック列
Ｒ２  ダミーブロック列
Ｓ  塗装
Ｔ  縦目地
Ｕ  点描色
Ｙ  横目地
１  金属製表面材
２  裏面材
３  芯材
４  雄型連結部
５  雌型連結部
６  化粧面
６ａ  頂面
６Ａ  Ｌ形の頂面
６ｂ  上傾斜平面
６ｃ  下傾斜平面
６Ｔ  短辺
６Ｙ  長辺
７  側壁
８  側壁
９  上面
１０  係合片
１１  係合溝
１２  目地底面
１３  下面
１４  嵌合片
１５  固定面
１６  嵌合溝
【図１】
2015007323.tif 000003
【図２】
2015007323.tif 000004
【図３】
2015007323.tif 000005
【図５】
2015007323.tif 000006
【図６】
2015007323.tif 000007
【図７】
2015007323.tif 000008
【図４】
2015007323.tif 000009